(57)【要約】【課題】ＶＯＤシステムで、安価な構成で利用者向けに詳細なメッセージを告知する。【解決手段】ＶＯＤサーバ1と複数のＳＴＢ3,3,…とを構内ネットワーク5で接続したシステムで、メッセージ情報を入力して管理する、構内ネットワーク5と接続したＰＭＳ2を備え、ＶＯＤサーバ1は、ＰＭＳ2が送信するメッセージ情報を取得して記憶する記憶部1e、起動画面データ、メッセージ情報に対応するメッセージ画面データを記憶する画面データ記憶部1dを備え、ＳＴＢ3からの配信要求を受けて記憶部1eでメッセージ情報の有無を検索し、存在した場合に、メッセージ画面データの配信要求を可能にスクリプトを生成して起動画面データに組込んでＳＴＢ3に対して配信し、ＳＴＢ3は、起動画面データを受信して再生出力し、組込まれていたスクリプトを実行してメッセージ画面データの配信を要求し、該要求に応答して送信されるメッセージ画面データを受信して再生出力する。【選択図】      図１
2010087863.tif 000002
【特許請求の範囲】
【請求項１】
配信要求に従って映像を含むコンテンツを配信するビデオ・オン・デマンドサーバと、該サーバに配信要求を送信し、送信に応答して配信されるコンテンツを受信して再生出力する複数のセットトップボックスとをネットワーク接続したシステムでのメッセージ告知システムであって、
メッセージ情報を入力して管理する、上記ネットワークと接続したホストコンピュータを備え、
上記ビデオ・オン・デマンドサーバは、
上記ホストコンピュータが送信するメッセージ情報を取得して記憶するメッセージ記憶手段、
固定画面データと、上記メッセージ情報に対応するメッセージ画面データとを記憶する画面データ記憶手段、及び
上記セットトップボックスからの配信要求を受けて上記メッセージ記憶手段で当該セットトップボックスに応じたメッセージ情報の有無を検索する検索手段を備え、
上記セットトップボックスから固定画面データの配信要求を受け、上記検索手段により上記メッセージ記憶手段で当該セットトップボックスに応じたメッセージ情報を検索してメッセージ情報が存在した場合に、メッセージ情報に対応するメッセージ画面データの配信要求を可能とするスクリプトを生成して固定画面データに組込み、当該固定画面データを上記セットトップボックスに対して配信し、
上記セットトップボックスは、
上記固定画面データを受信して再生出力し、組込まれていたスクリプトを実行してメッセージ画面データの配信を要求し、該要求に応答して送信されるメッセージ画面データを受信して再生出力する
ことを特徴とするメッセージ告知システム。
【請求項２】
配信要求に従って映像を含むコンテンツを配信するビデオ・オン・デマンドサーバと、該サーバに配信要求を送信し、送信に応答して配信されるコンテンツを受信して再生出力する複数のセットトップボックスとをネットワーク接続したシステムでのメッセージ告知システムであって、
メッセージ情報を入力して管理する、上記ネットワークと接続したホストコンピュータを備え、
上記ビデオ・オン・デマンドサーバは、
上記ホストコンピュータが送信するメッセージ情報を取得して記憶するメッセージ記憶手段、
固定画面データと、上記メッセージ情報に対応するメッセージ画面データとを記憶する画面データ記憶手段、及び
上記セットトップボックスからの配信要求を受けて上記メッセージ記憶手段で当該セットトップボックスに応じたメッセージ情報の有無を検索する検索手段を備え、
上記セットトップボックスから固定画面データの配信要求を受け、上記検索手段により上記メッセージ記憶手段で当該セットトップボックスに応じたメッセージ情報を検索してメッセージ情報が存在した場合に、固定画面データの配信要求を可能とするスクリプトを生成して、メッセージ情報に対応するメッセージ画面データに組込み、当該メッセージ画面データを上記セットトップボックスに対して配信し、  
上記セットトップボックスは、
上記メッセージ画面データを受信して再生出力し、組込まれていたスクリプトを実行して固定画面データの配信を要求し、該要求に応答して送信される固定画面データを受信して再生出力する
ことを特徴とするメッセージ告知システム。
【請求項３】
上記メッセージ情報は、セットトップボックスの設置位置情報、メッセージ画面種別、及び言語情報の少なくとも１つを含むことを特徴とする請求項１または２記載のメッセージ告知システム。
【請求項４】
上記ビデオ・オン・デマンドサーバが配信するメッセージ画面データは、当該メッセージ画面を確認した旨を示す確認ボタンの画像を含み、
上記セットトップボックスは、確認ボタンを含むメッセージ画面データの再生出力に対して所定の操作がなされると上記確認ボタンが操作されたものと判断して上記ビデオ・オン・デマンドサーバに確認完了を通知する
ことを特徴とする請求項１または２記載のメッセージ告知システム。
【請求項５】
上記ビデオ・オン・デマンドサーバは、上記セットトップボックスからメッセージ画面データに応答する確認完了の通知を受信すると、上記メッセージ記憶手段に記憶する該当するメッセージ情報を消去すると共にメッセージ確認済みの完了情報を記憶し、記憶した完了情報に基づいて上記ホストコンピュータにメッセージ告知が完了した旨の応答を返信することを特徴とする請求項４記載のメッセージ告知システム。
【発明の詳細な説明】
【技術分野】
【０００１】
本発明は、例えばホテルや旅館などの宿泊施設構内に敷設するビデオ・オン・デマンドシステムに好適なメッセージ告知システムに関する。
【背景技術】
【０００２】
一般に、ホテルや旅館等の旅客宿泊施設でその施設構内に敷設する構内テレビ配信網でテレビ放送を視聴する場合、共用のアンテナで受信した地上波放送、ＢＳ・１１０°ＣＳデジタル放送、地上波デジタル放送、及び施設内で独自に放送する自主放送等の複数の番組を端末装置である専用のテレビ放送受信装置で受信し、このテレビ放送受信装置で選局、復調した映像信号及び音声信号をこのテレビ放送受信装置に接続したテレビ受像機で出力して視聴を行なうことが可能となる。
【０００３】
しかるに、客室利用者が不在で管理者側からなんらかのメッセージを告知したい場合、上記テレビ放送受信装置でメッセージがある旨のランプを点灯させて、後に詳細な情報を施設内のフロント等に確認していただくよう促す方法や、メッセージの告知用に専用の放送チャネルを割当て、テレビ受像機の電源オン当初に上記専用の放送チャネルを強制的に選択する方法等が考えられる。
【０００４】
また、ホテルなどで留守時の伝言メッセージ等に使用する、ホテルマンは電話を受けた時にその処理を済ませられ、宿泊客は所望する時に正確にメッセージを受け取れるようにするべく、受けた通話の音声メッセージをパーソナルコンピュータで自動翻訳ソフトウェアにより文字列に変換して記憶しておき、客室からのリクエストに応えて客室のテレビ画面に映像として表示させる技術が考えられている。（例えば、特許文献１）
【特許文献１】特開平１０−０９３７３３号公報
【発明の開示】
【発明が解決しようとする課題】
【０００５】
上記のようにランプを点灯させる方法では、フロント等で確認するまでメッセージの内容がわからず、人手を介するために効率的ではない。また、上記専用の放送チャネルを設ける方法では、メッセージ告知に使用できる放送チャネルに限りがあることに加え、複数の告知内容や言語等に対応させることが容易ではなく、それを実現するためには施設に多大のコストが発生するという不具合がある。
【０００６】
また、上記特許文献に記載された技術も、電話を受けた時にホテルマンがパーソナルコンピュータを操作して所望する言語への翻訳や記録等を行なわなければならず、人的なコストが必要となる。
【０００７】
本発明は上記のような実情に鑑みてなされたもので、その目的とするところは、映画等をストリーミングで視聴可能とするビデオ・オン・デマンドシステムで、より安価な構成としながら利用者向けに詳細なメッセージを告知することが可能なメッセージ告知システムを提供することにある。
【課題を解決するための手段】
【０００８】
請求項１記載の発明は、配信要求に従って映像を含むコンテンツを配信するビデオ・オン・デマンドサーバと、該サーバに配信要求を送信し、送信に応答して配信されるコンテンツを受信して再生出力する複数のセットトップボックスとをネットワーク接続したシステムでのメッセージ告知システムであって、メッセージ情報を入力して管理する、上記ネットワークと接続したホストコンピュータを備え、上記ビデオ・オン・デマンドサーバは、上記ホストコンピュータが送信するメッセージ情報を取得して記憶するメッセージ記憶手段、固定画面データと、上記メッセージ情報に対応するメッセージ画面データとを記憶する画面データ記憶手段、及び上記セットトップボックスからの配信要求を受けて上記メッセージ記憶手段で当該セットトップボックスに応じたメッセージ情報の有無を検索する検索手段を備え、上記セットトップボックスから固定画面データの配信要求を受け、上記検索手段により上記メッセージ記憶手段で当該セットトップボックスに応じたメッセージ情報を検索してメッセージ情報が存在した場合に、メッセージ情報に対応するメッセージ画面データの配信要求を可能とするスクリプトを生成して固定画面データに組込み、当該固定画面データを上記セットトップボックスに対して配信し、上記セットトップボックスは、上記固定画面データを受信して再生出力し、組込まれていたスクリプトを実行してメッセージ画面データの配信を要求し、該要求に応答して送信されるメッセージ画面データを受信して再生出力するとを特徴とする。
【０００９】
請求項２記載の発明は、配信要求に従って映像を含むコンテンツを配信するビデオ・オン・デマンドサーバと、該サーバに配信要求を送信し、送信に応答して配信されるコンテンツを受信して再生出力する複数のセットトップボックスとをネットワーク接続したシステムでのメッセージ告知システムであって、メッセージ情報を入力して管理する、上記ネットワークと接続したホストコンピュータを備え、上記ビデオ・オン・デマンドサーバは、上記ホストコンピュータが送信するメッセージ情報を取得して記憶するメッセージ記憶手段、固定画面データと、上記メッセージ情報に対応するメッセージ画面データとを記憶する画面データ記憶手段、及び上記セットトップボックスからの配信要求を受けて上記メッセージ記憶手段で当該セットトップボックスに応じたメッセージ情報の有無を検索する検索手段を備え、上記セットトップボックスから固定画面データの配信要求を受け、上記検索手段により上記メッセージ記憶手段で当該セットトップボックスに応じたメッセージ情報を検索してメッセージ情報が存在した場合に、固定画面データの配信要求を可能とするスクリプトを生成して、メッセージ情報に対応するメッセージ画面データに組込み、当該メッセージ画面データを上記セットトップボックスに対して配信し、上記セットトップボックスは、上記メッセージ画面データを受信して再生出力し、組込まれていたスクリプトを実行して固定画面データの配信を要求し、該要求に応答して送信される固定画面データを受信して再生出力することを特徴とする。
【００１０】
請求項３記載の発明は、上記請求項１または２記載の発明において、上記メッセージ情報は、セットトップボックスの設置位置情報、メッセージ画面種別、及び言語情報の少なくとも１つを含むことを特徴とする。
【００１１】
請求項４記載の発明は、和ホワイト請求項１または２記載の発明において、上記ビデオ・オン・デマンドサーバが配信するメッセージ画面データは、当該メッセージ画面を確認した旨を示す確認ボタンの画像を含み、上記セットトップボックスは、確認ボタンを含むメッセージ画面データの再生出力に対して所定の操作がなされると上記確認ボタンが操作されたものと判断して上記ビデオ・オン・デマンドサーバに確認完了を通知することを特徴とする。
【００１２】
請求項５記載の発明は、上記請求項４記載の発明において、上記ビデオ・オン・デマンドサーバは、上記セットトップボックスからメッセージ画面データに応答する確認完了の通知を受信すると、上記メッセージ記憶手段に記憶する該当するメッセージ情報を消去すると共にメッセージ確認済みの完了情報を記憶し、記憶した完了情報に基づいて上記ホストコンピュータにメッセージ告知が完了した旨の応答を返信することを特徴とする。
【発明の効果】
【００１３】
本発明によれば、映画等をストリーミングで視聴可能とするビデオ・オン・デマンドシステムで、より安価な構成としながら利用者向けに詳細なメッセージを告知することが可能となる。
【発明を実施するための最良の形態】
【００１４】
以下本発明を例えばホテル施設構内に敷設するビデオ・オン・デマンド（以下「ＶＯＤ）システムに適用した場合の一実施形態について図面参照して説明する。
【００１５】
図１は、同システム全体の構成を示すもので、センターＣＴ側にＶＯＤサーバ１とホストコンピュータ（ＨＣ）としてのプロパティ・マネージメント・システム（ＰＭＳ）２とが備えられる。これらＶＯＤサーバ１及びプロパティ・マネージメント・システム２は構内ネットワーク５を介して接続される。構内ネットワーク５は、ホテル施設構内に敷設されてＬＡＮを構成する。この構内ネットワーク５に対し、ホテルの各客室ＧＲ側にそれぞれセットトップボックス３が配設される。セットトップボックス３は、その客室ＧＲ内のテレビ受像機４と接続される。
【００１６】
ＶＯＤサーバ１は、映像データ記憶部１ａ、スクリプト生成部１ｂ、配信部１ｃ、画面データ記憶部１ｄ、及び記憶部１ｅを備える。  
映像データ記憶部１ａは、配信すべき各種映像データによるコンテンツを記憶する。スクリプト生成部１ｂは、後述する固定画面としての起動画面データに組込むスクリプトデータを生成する。配信部１ｃは、映像データ、画面データ等を配信する。
【００１７】
画面データ記憶部１ｄは、起動画面データとメッセージ情報に対応した各種メッセージ画面データを記憶する。記憶部１ｅは、客室番号及び該客室番号に対応したＭＡＣ（Ｍｅｄｉａ  Ａｃｃｅｓｓ  Ｃｏｎｔｒｏｌ）アドレス、ＩＰ（Ｉｎｔｅｒｎｅｔ  Ｐｒｏｔｃｏｌ）アドレスとメッセージ情報等を記憶する。
【００１８】
プロパティ・マネージメント・システム２は、上述した如くこのシステムのホストコンピュータとして機能し、ホテルのチェックイン／アウトや料金精算をはじめとしたホテル業務全般を管理する。このプロパティ・マネージメント・システム２は、入力操作を行なう入力部２ａと、入力情報等を記憶する記憶部２ｂを備える。
【００１９】
セットトップボックス３は、図示しない専用のリモートコントローラにより客室利用者である宿泊客が任意に操作するもので、ＶＯＤサーバ制御部３ａ、ブラウザ３ｂ、スクリプト実行部３ｃ、及び再生出力部３ｄを備える。
【００２０】
ＶＯＤサーバ制御部３ａは、構内ネットワーク５を介して接続される上記ＶＯＤサーバ１との各種データの送受を行なう。ブラウザ３ｂは、ＶＯＤシステムのコンテンツの閲覧を制御する。スクリプト実行部３ｃは、起動画面データに組込まれたスクリプトを解析して実行する。再生出力部３ｄは、ＶＯＤサーバ１から送られてきたコンテンツを展開して映像及び音声の各データを再生し、テレビ受像機４に対して出力する。
【００２１】
上述した如くＶＯＤサーバ１、及びプロパティ・マネージメント・システム２とそれぞれテレビ受像機４を接続したセットトップボックス３，３，…は構内ネットワーク５で接続され、ＴＣＰ（Ｔｒａｎｓｍｉｓｓｉｏｎ  Ｃｏｎｔｒｏｌ  Ｐｒｏｔｃｏｌ）／ＩＰＩｎｔｅｒｎｅｔ  Ｐｒｏｔｃｏｌ）やＵＤＰ（Ｕｓｅｒ  Ｄａｔａｇｒａｍ  Ｐｒｏｔｃｏｌ）等のプロトコルを用いたイントラネットを形成する。
【００２２】
次に上記実施形態の動作について説明する。  
なお、本動作においては、各客室に設置されたセットトップボックス３，３，…での操作に応じて、図４に示す如く、ＶＯＤサーバ１の記憶部１ｅに客室番号に対応したＭＡＣアドレス及びＩＰアドレスが予め記憶されているものとする。ここで上記各セットトップボックス３，３，…のＩＰアドレスは、構内ネットワーク５に接続された範囲内でＶＯＤサーバ１が自動的に取得する。
【００２３】
また、ＶＯＤサーバ１の記憶部１ｅには、プロパティ・マネージメント・システム２から提供されるメッセージ情報が記憶されているものとする。  
図５（Ａ）は、この記憶部１ｅに記憶されるメッセージ情報を例示するものである。例えば、  
メッセージ種別「１」：  
「メッセージがございます。フロント○番に御連絡下さい」  
メッセージ種別「２」：  
「会社より電話がございました。連絡を下さいとの伝言です」  
メッセージ種別「３」：  
「○○○のサービスがございます。ご利用になってはいかがでしょうか？」  
等々の内容を示すものとする。
【００２４】
上記メッセージ種別に続く「言語」情報は、メッセージ種別の表示文字が  
「Ｊ」：日本語、「Ｅ」：英語、「Ｋ」：韓国語、「Ｃ」：中国語
等の内容を持つものとする。
【００２５】
図２は、上記ＶＯＤサーバ１での処理内容を示す。その動作当初には、セットトップボックス３，３，…から起動表示画面データの配信要求があるか否か（ステップＳ０１）、メッセージ画面データの配信要求があるか否か（ステップＳ０２）、あるいはＶＯＤトップ画面データの配信要求があるか否か（ステップＳ０３）を順次繰返し判断することで、これらのいずれか配信要求があるのを待機する。
【００２６】
起動表示画面データの配信要求があった場合、上記ステップＳ１０１でそれを判断し、当該客室番号に基づいて記憶部１ｅを検索し、当該客室宛のメッセージ情報が否かを判断する（ステップＳ０４）。
【００２７】
ここで記憶部１ｅに当該客室宛てのメッセージ情報がなかった場合には、そのまま画面データ記憶部１ｄに記憶されている起動表示画面データを読出して配信部１ｃにより当該客室のセットトップボックス３へ配信した後（ステップＳ０６）、再びつぎの配信要求に備えるべく上記ステップＳ０１からの処理に戻る。
【００２８】
また、上記ステップＳ０４で記憶部１ｅに当該客室宛てのメッセージ情報があった場合には、記憶部１ｅから当該客室宛てのメッセージ種別及び言語の各情報を読出し、それらの情報に基づいてスクリプト生成部１ｂでスクリプトを作成し、起動表示画面データに組込む（ステップＳ０５）。
【００２９】
例えば、上記図５（Ａ）で客室番号「１０２」はメッセージ種別が「１」で言語が「Ｊ」であるから、日本語により上記メッセージ「メッセージがございます。フロント○番に御連絡下さい」の文字列によるメッセージ画面データを配信させるべく、その配信要求のスクリプトを生成して起動表示画面データに組込む。
【００３０】
そして、スクリプトを組込んだ起動表示画面データを当該客室、例えば「１０２」のセットトップボックス３に配信し（ステップＳ０６）、再び上記ステップＳ０１からの処理に戻って、当該客室に関しては、セットトップボックス３から今度はメッセージ画面データの配信要求があるのを待機する。
【００３１】
しかして、セットトップボックス３からメッセージ画面データの配信要求があった場合、ステップＳ０２でそれを判断し、今度は当該客室のセットトップボックス３がＶＯＤトップ画面データの配信要求が可能となるようなスクリプトをスクリプト生成部１ｂで生成し、メッセージ画面データに組込む（ステップＳ０７）。
【００３２】
そして、スクリプトを組込んだメッセージ画面データを当該客室、例えば「１０２」のセットトップボックス３に配信し（ステップＳ０８）、再び上記ステップＳ０１からの処理に戻って、当該客室に関しては、セットトップボックス３から今度はＶＯＤトップ画面データの配信要求があるのを待機する。
【００３３】
その後、セットトップボックス３からＶＯＤトップ画面データの配信要求があった場合、ステップＳ０３でそれを判断し、上記起動表示画面と同様にこれも固定画面データであるＶＯＤトップ画面データを当該客室のセットトップボックス３に配信する（ステップＳ０９）。
【００３４】
次いで、このＶＯＤトップ画面データを配信した客室番号に基づいて記憶部１ｅを参照し、当該客室番号でメッセージ情報が記憶されており、且つメッセージ画面データに対する確認がなされているか否かを判断する（ステップＳ１０）。
【００３５】
ここで、該当するメッセージがないと判断した場合、あるいは、メッセージ情報があっても、まだ確認がなされていないと判断した場合には、そのまま上記ステップＳ０１からの処理に戻る。
【００３６】
また、当該客室番号でメッセージ情報が記憶されており、且つメッセージ画面データに対する確認がなされていた場合、上記ステップＳ１０でそれを判断し、記憶部１ｅにおける当該客室番号のメッセージ種別、及び言語の各情報を消去すると共に、確認済みであることを示すフラグ情報をセットする（ステップＳ１１）。
【００３７】
図５（Ｂ）は、上記図５（Ａ）の状態から、客室番号「２０１」でメッセージ画面データに対する確認がなされたために、該当するメッセージ種別及び言語の各情報を消去して「０」とし、合わせて確認済みのフラグ情報「１」を設定した場合を例示するものである。
【００３８】
こうしてメッセージに対する客室からの確認を得た後、ホストコンピュータであるプロパティ・マネージメント・システム２に当該客室に対するメッセージ告知の完了を通知し（ステップＳ１２）、以上で一連の処理を終えて、次のメッセージに関する処理を実行するべく、上記ステップＳ０１からの処理に戻る。
【００３９】
次に、図３により客室ＧＲ側のセットトップボックス３での処理内容についても説明する。
【００４０】
セットトップボックス３をリモートコントローラの操作で電源投入、あるいは再起動すると、ＶＯＤサーバ１に対して起動表示画面データの配信要求を行なう（ステップＴ０１）。
【００４１】
この配信要求に応答してＶＯＤサーバ１から起動表示画面データが送られてくると、これを受信し、再生出力部３ｄが起動表示画面データのコンテンツを再生してテレビ受像機４で映像及び音声を出力させる（ステップＴ０２）。
【００４２】
この起動表示画面の出力状態が一定時間、例えば１５［秒］経過するのを待機し（ステップＴ０３）、一定時間が経過したと判断した時点で、次に再生した起動表示画面データにメッセージ画面データの配信要求が必要か否かを、そのためのスクリプトが組込まれていたか否かにより判断する（ステップＴ０４）。
【００４３】
メッセージ画面データの配信要求が必要であると判断した場合、組込まれていたスクリプトにしたがってメッセージ画面データの配信要求を行なう（ステップＴ０５）。  
この配信要求に応答してＶＯＤサーバ１からメッセージ画面データが送られてくると、これを受信し、再生出力部３ｄがメッセージ画面データのコンテンツを再生してテレビ受像機４で映像及び音声を出力させることで、メッセージの告知を行なう（ステップＴ０６）。
【００４４】
このメッセージの告知に関しては、画面中に確認ボタンを予め組込んでおくと共に、当該確認ボタンの操作を促すガイドメッセージを画面データ中に合わせて組込んでおく。
【００４５】
上記メッセージ画面データの再生状態において、上記確認ボタンの操作がなされたか否か（ステップＴ０９）、一定時間、例えば１５［秒］が経過したか否か（ステップＴ１１）、を繰返し判断することで、これらのいずれかの状態となるのを待機する。
【００４６】
しかるに、一定時間が経過する前に確認のための操作がなされた場合、ステップＴ０９でそれを判断し、メッセージ確認済みである旨を示す識別情報を付加してＶＯＤトップ画面データの配信要求をＶＯＤサーバ１に対して行なう（ステップＴ１０）。
【００４７】
そして、この配信要求に応答してＶＯＤサーバ１からＶＯＤトップ画面データが送られてくると、これを受信し、再生出力部３ｄがＶＯＤトップ画面データのコンテンツを再生してテレビ受像機４で映像及び音声を出力させる（ステップＴ０８）。
【００４８】
以上でこの図３の処理を一旦終了し、以後ＶＯＤによる通常の動作に移行する。
【００４９】
また、上記ステップＴ０９，Ｔ１１の処理を繰返し実行する過程で、確認のための操作がなされないままに一定時間が経過した場合、ステップＴ１１でそれを判断し、上記ステップＴ１０でのようなメッセージ確認済みである旨を示す識別情報を付加せずに、ＶＯＤトップ画面データの配信要求をＶＯＤサーバ１に対して行なう（ステップＴ０７）。
【００５０】
この配信要求に応答してＶＯＤサーバ１からＶＯＤトップ画面データが送られてくると、これを受信し、再生出力部３ｄがＶＯＤトップ画面データのコンテンツを再生してテレビ受像機４で映像及び音声を出力させる（ステップＴ０８）。
【００５１】
さらに、上記ステップＴ０４でメッセージ画面データの配信要求が必要なく、そのためのスクリプトが組込まれていなかったと判断した場合には、そのまま上記ステップＴ１０７に進んで、直ちにＶＯＤトップ画面データの配信要求を行なう。
【００５２】
このように、客室利用者である宿泊客がセットトップボックス３の電源を投入するか、あるいは再起動の操作を行なうと、起動表示画面データとしてシステムタイトルを一定時間表示出力する。その後、ＶＯＤの操作に移行する前に、当該客室宛てのメッセージ告知がある場合には、自動的にメッセージ画面データの表示に移行するものとなる。
【００５３】
以上詳述した如く本実施形態によれば、映画等をストリーミングで視聴可能とするＶＯＤ（ビデオ・オン・デマンド）システムで、より安価な構成としながら利用者向けに詳細なメッセージを告知することが可能となる。
【００５４】
なお、上記実施形態では、固定画面データである起動表示画面を再生した後にメッセージ画面データの再生に移行するものとして説明したが、あえて当該客室宛てのメッセージ画面データがある場合には、先にメッセージ画面データの再生を行ない、その後に起動表示画面データの再生を行なうものとしてもよい。
【００５５】
また、上記実施形態では、メッセージ画面データとＶＯＤトップ画面データとを区分して順次再生出力するものとして説明したが、メッセージ画面データをＶＯＤトップ画面データの一部に合成して共に再生出力するものとしても、同様の効果を得ることができる。
【００５６】
さらに、上記実施形態では、メッセージ情報がセットトップボックスの設置位置情報（客室番号）、メッセージ画面種別、及び言語情報を含むこととしたので、告知対象に合わせて、より詳細な設定でメッセージ告知を行なうことができる。
【００５７】
加えて、上記実施形態では、メッセージの告知に対する確認の処理を行なうものとしたので、同一のメッセージ告知を何度も繰り返し実行してしまうことがなく、利用者に煩雑な思いをさせてしまうのを未然に防止できると共に、施設管理者側でもメッセージ告知を行なったか否かを確実に把握できる。
【００５８】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【図面の簡単な説明】
【００５９】
【図１】本発明の一実施形態に係るＶＯＤシステムの構成を示す図。
【図２】同実施形態に係るＶＯＤサーバ側の処理内容を示すフローチャート。
【図３】同実施形態に係るセットトップボックス側の動作初期の処理内容を示すフローチャート。
【図４】同実施形態に係るＶＯＤサーバの記憶部に記憶される客室番号毎のＭＡＣアドレス及びＩＰアドレスの内容を例示する図。
【図５】同実施形態に係るＶＯＤサーバの記憶部に記憶されるメッセージ情報を例示する図。
【符号の説明】
【００６０】
１…ＶＯＤサーバ、１ａ…映像データ記憶部、１ｂ…スクリプト生成部、１ｃ…配信部、１ｄ…画面データ記憶部、１ｅ…記憶部、２…プロパティ・マネージメント・システム（ＰＭＳ）（ホストコンピュータ（ＨＣ））、２ａ…入力部、２ｂ…記憶部、３…セットトップボックス、３ａ…ＶＯＤサーバ制御部、３ｂ…ブラウザ、３ｃ…スクリプト実行部、３ｄ…再生出力部、４…テレビ受像機、５…構内ネットワーク、ＣＴ…センター、ＧＲ…客室。
【図１】
2010087863.tif 000003
【図２】
2010087863.tif 000004
【図３】
2010087863.tif 000005
【図４】
2010087863.tif 000006
【図５】
2010087863.tif 000007